(57)【要約】      （修正有）【課題】周状溝部よりも上部の長辺に対応する胴部側面を把持した場合に、胴部の変形や座屈を防止して、口部から予想外の容量の飲料が溢流しない合成樹脂製ボトルを提供する。【解決手段】口部２と、肩部３と、胴部４と、底部５とを備え、胴部は、ボトル軸線に垂直な横断面形状が長辺８と、短辺９と、隅角部１０とを備える矩形状であり、胴部を上部と下部とに区分する周状溝部１１と、該矩形状の周方向に沿って設けられた複数の横リブ部１９と、隣接する２つの横リブ部１４の間に形成されるビード部１５とを備える合成樹脂製ボトル１において、胴部の上部４ａに設けられた複数のビード部１５は、長辺に対応する胴部側面の中央より隅角部寄りの位置でボトル内部方向へ陥入する端部２１を備え、端部２１が縦リブ部２２を形成することを特徴とする。【選択図】図１
2010013156.tif 000002
【特許請求の範囲】
【請求項１】
ポリエステル樹脂製のプリフォームの二軸延伸ブロー成形により形成され、口部と、口部の下部に連接する肩部と、該肩部の下部に連接する胴部と、該胴部の下部に連接する底部とを備え、
該胴部は、ボトル軸線に垂直な横断面形状が相対向する一対の長辺と、相対向する一対の短辺と、各長辺と各短辺とを接続する隅角部とを備える矩形状であり、該胴部を上部と下部とに区分する周状溝部と、該矩形状の周方向に沿って設けられた複数の横リブ部と、隣接する２つの該横リブ部の間に形成されるビード部とを備える合成樹脂製ボトルにおいて、
該胴部の上部に設けられた該ビード部は、該長辺に対応する胴部側面の中央より該隅角部寄りの位置でボトル内部方向へ陥入する端部を備えることを特徴とする合成樹脂製ボトル。
【請求項２】
前記胴部の上部には、前記ビード部が複数設けられており、複数の該ビード部のボトル内部方向に陥入する端部が縦リブ部を形成していることを特徴とする請求項１記載の合成樹脂製ボトル。
【発明の詳細な説明】
【技術分野】
【０００１】
本発明は合成樹脂製ボトルに関するものである。
【背景技術】
【０００２】
従来、この種の合成樹脂製ボトルとして、例えば、ポリエチレンテレフタレート樹脂製のブロー成形ボトルが知られている。前記合成樹脂製ボトルは、口部と、口部の下部に連接する肩部と、該肩部の下部に連接する胴部と、該胴部の下部に連接する底部とを備えている。前記合成樹脂製ボトルは、例えば、内容物として２０００ｍｌの飲料を収容するものである場合、前記胴部が、ボトル軸線に垂直な横断面形状が相対向する一対の長辺と、相対向する一対の短辺と、各長辺と短辺とを接続する隅角部とを備える矩形状となっている。
【０００３】
前記合成樹脂製ボトルは、内容物の容量が大きいため、消費者は、前記飲料をコップ等の他の容器に注ぎ分けることがある。この場合、消費者は、前記横断面形状における前記長辺に対応する胴部側面を片手で把持し、前記合成樹脂製ボトルを傾けることにより、前記口部から前記コップ等の他の容器に前記飲料を注ぎ分ける。
【０００４】
そこで、前記合成樹脂製ボトルを前記長辺に対応する胴部側面で把持する場合の便に、該胴部を上部と下部とに区分する周状溝部を設け、該周状溝部の前記横断面形状における前記長辺に対応する部分の中央に、ボトル内方に陥入する把持部を設けた合成樹脂製ボトルが提案されている（例えば、特許文献１参照）。
【０００５】
ところが、前記合成樹脂製ボトルは、前記飲料で満たされている場合、重心の位置が高くなるため、前記把持部を把持したのでは、該合成樹脂製ボトルを傾けたときに他の容器に注がれる該飲料の容量を調節しにくくなる。そこで、消費者は、前記合成樹脂製ボトルが前記飲料で満たされている場合等には、前記周状溝部の長辺に対応する部分の中央に設けられた把持部よりも上部の長辺に対応する胴部側面を把持して前記飲料を他の容器に注ぐ傾向がある。
【０００６】
しかしながら、前記従来の合成樹脂製ボトルは、コスト低減のために軽量化されているので、前記周状溝部よりも上部の長辺に対応する胴部側面を把持すると、該長辺に対応する胴部側面に変形や座屈を生じ、前記口部から予想外の容量の前記飲料が溢流することがあるという不都合がある。
【特許文献１】実開平０５−０７７０１４号公報
【発明の開示】
【発明が解決しようとする課題】
【０００７】
本発明は、かかる不都合を解消して、周状溝部よりも上部の長辺に対応する胴部側面を把持した場合に、該胴部の変形や座屈を防止して、口部から予想外の容量の飲料が溢流することのない合成樹脂製ボトルを提供することを目的とする。
【課題を解決するための手段】
【０００８】
かかる目的を達成するために、本発明の合成樹脂製ボトルは、ポリエステル樹脂製のプリフォームの二軸延伸ブロー成形により形成され、口部と、口部の下部に連接する肩部と、該肩部の下部に連接する胴部と、該胴部の下部に連接する底部とを備え、該胴部は、ボトル軸線に垂直な横断面形状が相対向する一対の長辺と、相対向する一対の短辺と、各長辺と短辺とを接続する隅角部とを備える矩形状であり、該胴部を上部と下部とに区分する周状溝部と、該矩形状の周方向に沿って設けられた複数の横リブ部と、隣接する２つの該横リブ部の間に形成されるビード部とを備える合成樹脂製ボトルにおいて、該胴部の上部に設けられた該ビード部は、該長辺に対応する胴部側面の中央より該隅角部寄りの位置でボトル内部方向へ陥入する端部を備えることを特徴とする。
【０００９】
本発明の合成樹脂製ボトルでは、前記ビード部が前記長辺に対応する胴部側面の中央より前記隅角部寄りの位置でボトル内部方向へ陥入する端部を備えており、該端部がボトル内方へ陥入することにより、該長辺に対応する胴部側面が補強されている。従って、本発明の合成樹脂製ボトルによれば、前記周状溝部より上部の前記長辺に対応する胴部側面を把持したときにも、該胴部の変形や座屈を防止して、口部から予想外の容量の内容物が溢流することを阻止することができる。
【００１０】
また、本発明の合成樹脂製ボトルにおいて、前記胴部の上部には、前記ビード部が複数設けられており、複数の該ビード部のボトル内部方向に陥入する端部が縦リブ部を形成していることが好ましい。本発明の合成樹脂製ボトルにおいて、前記ビード部は単一であっても前記端部がボトル内方へ陥入することにより、前記長辺に対応する胴部側面を補強する効果を得ることができる。しかし、前記ビード部が複数設けられており、複数の該ビード部のボトル内部方向に陥入する端部が縦リブ部を形成していることにより、前記長辺に対応する胴部側面を補強する効果をさらに大きくすることができる。
【発明を実施するための最良の形態】
【００１１】
次に、添付の図面を参照しながら本発明の実施の形態について詳しく説明する。図１（ａ）は、本実施形態の合成樹脂製ボトルの外観形状を示す説明図、図１（ｂ）は、図１（ａ）のＩｂ−Ｉｂ線で切断した合成樹脂製ボトルの横断面図である。
【００１２】
本実施形態の合成樹脂製ボトル１は、例えば、２０００ｍｌの飲料を収容する飲料容器であり、ポリエチレンテレフタレート樹脂製の図示しないプリフォームから二軸延伸ブロー成形される。合成樹脂製ボトル１は、図１（ａ）に示すように、口部２と、口部２の下部に連接された肩部３と、肩部３の下部に連接された胴部４と、胴部４の下部に連接された底部５とを備えている。
【００１３】
本実施形態の合成樹脂製ボトルにおいて、口部２は、外周に、図示しないキャップを螺着するための雄ねじ部６が形成されている。
【００１４】
合成樹脂製ボトル１において、肩部３は、胴部４との連接部７を底面とする四角錐台状である。
【００１５】
合成樹脂製ボトル１の胴部４は、図１（ｂ）に示すように、ボトル軸線に垂直な横断面形状が、相対向する一対の長辺８，８と、相対向する一対の短辺９，９と、各長辺８と各短辺９とを接続する隅角部１０とを備える矩形状となっている。また、胴部４は、図１（ａ）に示すように、胴部４を上部４ａと下部４ｂとに区分する周状溝部１１を備えている。周状溝部１１は、合成樹脂製ボトル１を把持する場合に、把持部として利用することができる。
【００１６】
胴部４の上部４ａには、上下方向に所定の間隔を置いて、６条の横リブ部１４が形成されており、隣接する２つの横リブ部１４，１４の間には、それぞれビード部１５が形成されている。長辺８に対応する胴部４側面の上部４ａにおける左右方向中央には、上から２条目及び５条目の横リブ部１４，１４の間に、相対向する１対のパネル１６，１６が設けられている。パネル１６は、減圧吸収面として作用する。
【００１７】
また、胴部４の下部４ｂは、全周方向に設けられた複数の横リブ部１７と、隣接する横リブ部１７，１７間に、ボトル外方に膨出するビード部１８とを備えている。
【００１８】
底部５は、中央部に、内側へ膨出した膨出部１９を備えると共に、膨出部１９の外周に接地面２０を備え、接地面２０により合成樹脂製ボトル１を自立可能としている。
【００１９】
次に、合成樹脂製ボトル１の胴部４の上部４ａについて、詳しく説明する。図１（ａ）、（ｂ）に示すように、上から２〜５条目の横リブ部１４は、隅角部１０と長辺８との接続部から、該隅角部１０に連接する短辺９を介し、該短辺９に連接する隅角部１０と長辺８との接続部まで、矩形状の周方向に形成されている。そして、上から２〜４条目のビード部１５は、長辺８に対応する胴部４側面の中央より各隅角部１０，１０寄りの位置でボトル１内部方向へ陥入する端部２１，２１が形成され、上から２〜４条目のビード部１５の各端部２１が縦に連なって縦リブ部２２，２２を形成し、縦リブ部２２，２２の間に、パネル１６が設けられている。前記構成の本実施形態の合成樹脂製ボトル１によれば、縦リブ部２２，２２が、把持による押圧力を支持することができる。
【００２０】
従って、本実施形態の合成樹脂製ボトル１によれば、前記周状溝部１１より上部の前記長辺８に対応する胴部４側面を把持したときにも、胴部４の変形や座屈を防止して、口部２から予想外の容量の内容物が溢流することを阻止することができる。
【００２１】
また、本実施形態においては、合成樹脂製ボトル１は、ビード部１５のボトル１内方に陥入する端部２１が縦に連なり縦リブ部２２を形成しているが、これに限定されるものではなく、単一のビード部１５の端部２１がボトル１内方に陥入する構成となっていてもよい。
【００２２】
次に、図１に示す合成樹脂製ボトル１を実施例１として、次のようにして圧縮試験を行った。
【００２３】
先ず、空の合成樹脂製ボトル１を圧縮試験機（インストロン社製、商品名：ＭＯＤＥＬ  １０１１）に設置した。次に、図２に示すように、合成樹脂製ボトル１の縦リブ部２２を中心とする７０ｍｍ×３０ｍｍの範囲の領域を、押圧部２３，２３とし、相対向する面の押圧部２３，２３をボトル軸に直交する方向で互いに近接するように、２０ｍｍ／分の圧縮速度で、座屈が生じるまで押圧した。座屈の発生は目視及びＸ−Ｙレコーダのチャートにより確認し、該チャートから強度を測定した。結果を表１に示す。
【００２４】
［比較例１］
本比較例の合成樹脂製ボトルは、図４（ａ）及び図４（ｂ）に示すように、上から２〜５条目の横リブ部１４は、隅角部１０と長辺８との接続部から、該隅角部１０に連接する短辺９を介し、該短辺９に連接する隅角部１０と長辺８との接続部まで、矩形状の周方向に形成されており、隣接する横リブ部１４の間に形成されているビード部１５の端部が、パネル外周部２４と連接していて、縦リブ部２２，２２が形成されていないこと以外は、実施例１の合成樹脂製ボトル１と全く同一の構造を備えている。
【００２５】
次に、本比較例の合成樹脂製ボトル３１を用いた以外は、実施例１と全く同一にして圧縮試験を行った。結果を表１に示す。
【００２６】
【表１】
2010013156.tif 000003
表１から、胴部４の上部４ａに縦リブ部２２，２２が形成されている実施例１の合成樹脂製ボトル１によれば、胴部４の上部４ａに縦リブ部２２，２２が形成されていない比較例１の合成樹脂製ボトル３１に比較して、長辺８に対応する胴部４側面が補強されていることが明らかである。従って、実施例１の合成樹脂製ボトル１によれば、周状溝部１１より上部の長辺８に対応する胴部４側面を把持したときに、胴部４の変形や座屈を防止して、口部２から予想外の容量の内容物が溢流することを阻止することができる。
【００２７】
また、本実施形態においては、縦リブ部２２，２２の間にパネル１６が形成されているが、他の実施形態として、図３（ａ）、（ｂ）に示すように、パネル１６に代えて、縦リブ部２２，２２の間に複数のビード部１５ａを形成してもよい。ビード部１５ａは、例えば、縦リブ部２２を挟んで、上から２〜４条目のビード部１５に対応する位置に３条設けられる。
【図面の簡単な説明】
【００２８】
【図１】図１（ａ）は、本実施形態の合成樹脂製ボトルの外観形状を示す説明図、図１（ｂ）は、図１（ａ）のＩｂ−Ｉｂ線で切断した合成樹脂製ボトルの横断面図。
【図２】図２は、圧縮試験の押圧部を示す説明図。
【図３】図３（ａ）は、他の実施形態の合成樹脂製ボトルの外観形状を示す説明図、図３（ｂ）は、図３（ａ）のＩＩＩｂ−ＩＩＩｂ線で切断した合成樹脂製ボトルの横断面図。
【図４】図４（ａ）は、比較例１の合成樹脂製ボトルの外観形状を示す説明図、図４（ｂ）は、図４（ａ）のＩＶｂ−ＩＶｂ線で切断した合成樹脂製ボトルの横断面図。
【符号の説明】
【００２９】
１…合成樹脂製ボトル、２…口部、３…肩部、４…胴部、５…底部、８…長辺、９…短辺、１０…隅角部、１１…周状溝部、１４…横リブ部、１５…ビード部、２１…端部、２２…縦リブ部。
【図１】
2010013156.tif 000004
【図２】
2010013156.tif 000005
【図３】
2010013156.tif 000006
【図４】
2010013156.tif 000007